(57)【要約】【課題】  カービングスキーにおいて、カーブ外側のスキー板に体重をかけて外スキー主導（外スキーに体重がかかる）の姿勢をとることを容易ならしめるカービングスキー用スキー靴取付用具を提供すること。【解決手段】  前方にビンディングのトウピース５が固定され、後方にビンディングのヒールピース６が固定されて、先端部を蝶番11を介してスキー板７に傾動自在に取り付けた傾動板１と、この傾動板１の後端部の許容上昇限度を規制するスキー板７に取り付けたストッパー部材とを具備するものである。【選択図】  図１
2010094294.tif 000002
【特許請求の範囲】
【請求項１】
前方にビンディングのトウピースが固定され、後方にビンディングのヒールピースが固定されて、先端部を蝶番を介してスキー板に傾動自在に取り付けた傾動板と、
該傾動板の後端部の許容上昇限度を規制するスキー板に取り付けたストッパー部材とを具備することを特徴とするカービングスキー用スキー靴取付用具。
【請求項２】
ストッパー部材が、傾動板の後端部近傍とスキー板との間に取り付けたパンタグラフであることを特徴とする請求項１に記載のカービングスキー用スキー靴取付用具。
【発明の詳細な説明】
【技術分野】
【０００１】
この発明は、スキー板の上面と、スキー靴を固定するためのスキービンディングとの間に装着され、スキー板の表面に対してスキー靴を傾動可能に支持することにより、カービング性を向上させるカービングスキー用スキー靴取付用具に関する。
【背景技術】
【０００２】
従来のスキー板によるスリッピングターンは、スキー板の先端部分を中心にして後半部分（テール）をターン外側に振り出すように移動させるもので、ターン外側へのずれが大きく、身体の上下運動による荷重・抜重や旋回という複雑な動作や、ターン外側の力に対応した外スキー主導（外スキーに体重がかかる）の外向傾姿勢が要求されていた。
【０００３】
スキー板は、両サイドが円弧状に加工したサイドカーブが形成されており、カービングスキーのスキー板は、この曲率半径を小さく加工している。このサイドカーブおよびスキー板の板厚方向の可撓性に基づいて、スキー板にスキーヤーが乗ると、スキーヤーの体重によりスキー板が曲げ変形して、本来のサイドカット（サイドカーブ）の曲率半径が小さく変形する。この変形したサイドカーブが有効に作用して、左右いずれかのエッジが角付けされて斜面に食い込むと、曲率半径が小さく変形したサイドカーブに沿ってスキーはカービングターンを始める。
【０００４】
エッジ角度が大きくなるほど、変形したサイドカーブの曲率半径は小さくなるので、同じ大きさの有効なサイドカーブ半径を確保する場合に、従来のスキー板よりもカービングスキーの方が、小さなエッジ角度により有効なサイドカーブ半径を確保することができる。
【０００５】
このように、カービングスキーによると、初中級者においては、大きな傾き（角付け）を形成しなくても、スキーを容易にカーブさせることが可能になり、一方、上級者においては、大きく傾けることによって、さらに小さな曲率半径のターンを描くことが可能になった。
【０００６】
カービングスキー技術の向上のために、スキー板とビンディングとの間に合成樹脂材やアルミ等の金属で作ったプレートを介在させて、スキー靴を雪面から高く位置させることにより、小さな力でスキー板の角付けを容易にならしめている。
【０００７】
プレートによってスキー靴を雪面から高くすることなく、スキー板の中心線に対してビンディング取付位置の中心線を内側へ偏倚させることが、下記特許文献１に開示されている。
【特許文献１】特開２００３−１４４６００号公報
【発明の開示】
【発明が解決しようとする課題】
【０００８】
カービングスキーによって小さな曲率半径でカービングターンを行うと、スキーヤーに大きな遠心力が作用するので、スキーヤーは、雪面に対して体を内側に鋭角に傾け、体の重心をカーブの内側へ移動させて、遠心力を打ち消さなければならない。
【０００９】
図７の正面図（ａ）および側面図（ｂ）に示すように、斜面においてターンするとき、雪面８に対して体を鋭角に傾けると、腰から左右のスキー板７までの間隔を、カーブ内側では短く、カーブ外側では長くするように膝関節ｃを曲げなければならない。また、図７の正面図（ｃ）に示すように、平坦面においてカービングターンするときにも、同様に雪面８に対して体を鋭角に傾けなければならない。
【００１０】
一方、人体の下肢は、股関節ａで胴体に結合された大腿部ｂと、この大腿部ｂと膝関節ｃで結合された下腿部ｄと、この下腿部ｄと足関節ｅで結合された足部ｆとにより構成されており、スキー板７に固定されたスキー靴を履いて足部ｆと股関節ａとの間の間隔を短くするためには、膝を前に突き出して、膝関節ｃにおいて大腿部ｂと下腿部ｄとを「く」字形に曲げなければならない。
【００１１】
しかし、従来のスキービンディングによると、スキー靴の踵がスキー板７に固定されているので、踵をスキー板７の表面から上げることができない。足関節ｅで結合された下腿部ｄと足部ｆとの曲げ角度、すなわち、スキー板７に対する下腿部ｄの曲げ角度は、スキー靴によって制限されるので、膝関節ｃで結合された大腿部ｂと下腿部ｄとの曲げ角度も制限される。
【００１２】
したがって、カーブ内側に当たる下肢の股関節ａと足部ｆとの間隔を短縮することが困難である。すなわち、カービングターンしたときに、カーブ内側のスキー板７から抜重することができないので、カーブ内側のスキー板で体重を支えざるを得ないから内スキー主導（内側のスキー板に体重がかかる）の姿勢をとらざるを得なかった。
【００１３】
カービングスキーにおいても、小さな曲率半径で速度を落とすことなくカービングターンを行う際に、カーブ外側のスキー板に体重をかける方が有利であるが、内側のスキー靴の踵をスキー板７の表面から上げることができないので、カーブ外側のスキー板に体重をかけることが困難であった。
【００１４】
そこで、この発明のカービングスキー用スキー靴取付用具は、カービングスキーにおいても、カーブ外側のスキー板に体重をかけることを可能ならしめるために考えられたものである。
【課題を解決するための手段】
【００１５】
この発明のカービングスキー用スキー靴取付用具は、前方にビンディングのトウピースが固定され、後方にビンディングのヒールピースが固定されて、先端部を蝶番を介してスキー板に傾動自在に取り付けた傾動板と、この傾動板の後端部の許容上昇限度を規制するスキー板に取り付けたストッパー部材とを具備するものである。
【発明の効果】
【００１６】
この発明のカービングスキー用スキー靴取付用具によると、スキー靴を固定した傾動板がスキー板に対して傾動できるので、スキーヤーは、膝関節を前に突き出して大腿部と下腿部とを「く」字形に曲げてカーブ内側のスキー板から抜重することが容易になる。
【００１７】
したがって、スキーヤーがカービングスキーを着けて、雪面に対して体を内側に鋭角に傾けて小さな曲率半径でカービングターンを行っても、カーブ外側のスキー板に体重をかける外スキー主導（外側のスキー板に体重がかかる）の姿勢をとることができる。
【００１８】
この発明のカービングスキー用スキー靴取付用具を使用することにより、スキーヤーはカービング性能を向上させた滑降を行うことができる。
【発明を実施するための最良の形態】
【００１９】
（第１の実施形態）
この発明のカービングスキー用スキー靴取付用具は、図１の平面図（ａ）および側面図（ｂ）に示すように、スキー板７の表面に、先端部の蝶番11を介して傾動自在に取り付けた傾動板１と、スキー板７に対する傾動板１の開角度を規制するストッパー部材とにより構成される。なお、蝶番11に設けたコイル・スプリング12は、傾動板１に対して閉角方向に弾力を作用させて、傾動板１をスキー板７に接近させるように動作するものである。
【００２０】
傾動板１は、鉄板をコ字形に曲げたチャンネルで構成され、チャンネルの頂面の前方にビンディングのトウピース５が固定され、後方にビンディングのヒールピース６が固定されている。なお、平面図（ａ）には、ビンディングのトウピース５およびヒールピース６の図示を省略している。
【００２１】
ストッパー部材は、図１の平面図（ａ）および側面図（ｂ）に示すように、パンタグラフ２と、紐、ベルト23を使用する。このパンタグラフ２は、２枚の金属板材を「く」字形に屈曲自在に連結したもので、上下の連結部21、22を傾動板１の後端部近傍およびスキー板７の表面に軸支させる。そして、傾動板１の後端部の許容上昇限度を規制するために、上下の連結部21、22の間に紐、ベルト23などを掛け渡したものである。
【００２２】
このように、パンタグラフ２によりストッパー部材を構成すると、傾動板１を畳んだときに、パンタグラフ２が、傾動板１のチャンネルの中に収まるので、ストッパー部材が突出することはないのである。
【００２３】
（第２の実施形態）
第１の実施形態においては、傾動板１の後端部の許容上昇限度を規制するためにパンタグラフ２の上下の連結部21、22の間に紐、ベルト23などを設けているが、この第２の実施形態においては、図２の側面図に示すように、パンタグラフ２を構成する２枚の金属板材が一直線に延びきったとき、許容上昇限度となるようにストッパー部材の長さを設定しておく。そして、パンタグラフ２の屈曲部24に、２枚の金属板材を閉じる方向に弾力を作用させるコイルスプリング25を設けたものである。
【００２４】
このように、パンタグラフ２の屈曲部24にコイルスプリング25を設けておくと、２枚の金属板材が一直線に延びきっても、常に一方の方向に向かって「く」字形に屈曲するので円滑に屈曲動作を行わせることができる。
【００２５】
（第３の実施形態）
第１および第２の実施形態においてはストッパー部材として、２枚の金属板材を「く」字形に屈曲自在に連結したパンタグラフ２を使用しているが、図３の側面図に示すように、４枚の金属板材を菱形に屈曲自在に連結したパンタグラフ20を使用しても同様に作動させることができる。
【００２６】
（第４の実施形態）
この実施形態におけるストッパー部材は、図４の平面図（ａ）および側面図（ｂ）に示すように、一端部に丸穴があけられ、他端部に長穴27があけられた左右１対の回動部材26を使用する。なお、これら左右１対の回動部材26は、板材28によって一体に連結されている。
【００２７】
回動部材26の一端部の丸穴は、軸22ａによりスキー板７の表面に回動自在に軸支され、回動部材26の長穴27は、傾動板１の後端部近傍を軸21ａにより回動自在で摺動自在に連結されている。
【００２８】
このようにストッパー部材として、長穴27をあけた回動部材26で構成することにより、傾動板１の後端部の許容上昇限度を規制することができる。
【００２９】
（第５の実施形態）
第５の実施形態においては、図５の平面図（ａ）および側面図（ｂ）に示すように、傾動板１の後端部に頂面をクランク状に折り曲げた突出部13を形成する。
【００３０】
傾動板１の突出部13と係合するストッパー部材３は、図６の平面図（ａ）、側面図（ｂ）、正面図（ｃ）に示すように、傾動板１の後端部を囲むようにコ字形に曲げた垂直な三辺31、32、33と、垂直な三辺の下端に溶接された平板36とを有し、この平板36をスキー板７の表面に螺子で固定する。
【００３１】
ストッパー部材３の長手方向と直交する垂直な１辺31には、中央に縦方向のスリット34があけられており、このスリット34には、適当な間隔をあけてスリット34と直交する方向に切欠き35が形成されている。
【００３２】
このスリット34には、切欠き35の位置において固定できる係止部材４が嵌め込まれる。この係止部材４は、傾動板１の後端の突出部13と係合する係止片41と、スリット34の切欠き35と係合する係合片（図示せず）と、蝶ネジ42により締め付けるネジ棒43とにより構成される。
【００３３】
このように構成されたカービングスキー用スキー靴取付用具の傾動板１に、ビンディングのトウピース５およびヒールピース６を取り付けて、先端部を蝶番11を介してスキー板７に固定する。そして、ストッパー部材３の複数の切欠き35のうち、所望の高さの切欠き35に係止部材４を固定して、スキー板７に対する傾動板１の開角度を規制する。
【００３４】
この傾動板１の後端部の両側面は、ストッパー部材２の対向する垂直な二辺32、33に囲まれているので、スキー板７に対して横ずれをすることがないので、蝶番11に捻る力が作用しない。
【００３５】
スキー板７と傾動板１との間に形成される楔形の空間に雪が挟まって固まり、傾動板１の開閉を妨げることがあるので、スキー板７の両側面と傾動板１の両側面との間に、三角形の布または伸縮自在なゴムシート、蛇腹などを貼り付けることにより、楔形の空間に雪が入って挟まることを防止することができる。
【図面の簡単な説明】
【００３６】
【図１】この発明のカービングスキー用スキー靴取付用具をスキー板に取り付けた状態を示す第１の実施形態の平面図（ａ）および側面図（ｂ）、
【図２】第２の実施形態を示す側面図、
【図３】第３の実施形態を示す側面図、
【図４】第４の実施形態の平面図（ａ）および側面図（ｂ）、
【図５】第５の実施形態の平面図（ａ）および側面図（ｂ）、
【図６】第５の実施形態において使用するストッパー部材を示す平面図（ａ）、側面図（ｂ）および正面図（ｃ）、
【図７】ターン時におけるスキーヤーの下肢の状態およびスキー板の状態を示す図である。
【符号の説明】
【００３７】
１  傾動板
２  パンタグラフ
３  ストッパー部材
４  係止部材
５  トウピース
６  ヒールピース
７  スキー板
【図１】
2010094294.tif 000003
【図２】
2010094294.tif 000004
【図３】
2010094294.tif 000005
【図４】
2010094294.tif 000006
【図５】
2010094294.tif 000007
【図６】
2010094294.tif 000008
【図７】
2010094294.tif 000009